(57)【要約】【課題】ユーザーが、所望の番組の属性を入力又は選択するだけで、その属性に対応する番組を検索して視聴させる放送用端末機の番組検索装置及び番組検索方法を提供する。【解決手段】移動通信端末機の番組検索方法は、ＤＭＢ関連放送信号を受信する過程と、該受信された放送信号から番組の属性を示す情報を抽出する過程と、該抽出された情報の番組の属性に従うリストを構成及び保存し、該保存されたリストから所定因子が選択又は入力されると、該因子に該当するリストを表示し、該表示されたリストから所定リストが選択されると、該選択されたリストに対応する番組を表示する過程と、を含む。【選択図】図４
2006148935.tif 000002
【特許請求の範囲】
【請求項１】
放送信号を受信する受信部と、
前記受信された放送信号から所定情報を抽出する抽出部と、
前記抽出された所定情報に従って作成されたリストを保存するメモリと、
を備えることを特徴とする移動通信端末機。
【請求項２】
前記作成されたリストに該当する因子が入力されると、該入力された因子に該当するリストを検索する検索部をさらに備えることを特徴とする請求項１に記載の移動通信端末機。
【請求項３】
前記受信された放送信号は、
放送サービスに必要な番組と、前記番組を区分する情報と、を含んでいることを特徴とする請求項１に記載の移動通信端末機。
【請求項４】
前記入力された因子は、
放送される番組の種類（タイプ）、視聴可能な年代、視聴推奨の年代の少なくとも１つを区分するための因子であることを特徴とする請求項２に記載の移動通信端末機。
【請求項５】
前記検索されたリストから視聴しようとする番組が選択されると、該選択された番組を受信することを特徴とする請求項２に記載の移動通信端末機。
【請求項６】
端末機の全般的な動作を制御する制御部は、前記作成されたリストに該当しない因子が入力されると、該入力された因子に該当するリストがないことを通知するメッセージを出力することを特徴とする請求項１に記載の移動通信端末機。
【請求項７】
前記検索されたリストから所定リストが選択されると、該選択されたリストに対応する番組を表示する表示部をさらに備えることを特徴とする請求項２に記載の移動通信端末機。
【請求項８】
前記放送信号は、
放送のための信号に前記所定情報が挿入されて送信機から出力されることを特徴とする請求項１に記載の移動通信端末機。
【請求項９】
前記所定情報は、
前記受信された放送信号の種類又は属性を示すことを特徴とする請求項１に記載の移動通信端末機。
【請求項１０】
前記所定情報は、
前記受信された放送信号の視聴可能な年代及び視聴推奨の年代、又は、該当放送信号の番組名を含んでいることを特徴とする請求項１に記載の移動通信端末機。
【請求項１１】
前記所定情報は、
前記放送信号の所定フィールドに挿入されていることを特徴とする請求項１に記載の移動通信端末機。
【請求項１２】
前記所定情報は、
前記放送信号のＦＩＧタイプのＲｆａフィールドに挿入されていることを特徴とする請求項１１に記載の移動通信端末機。
【請求項１３】
前記抽出部は、
前記抽出した情報をメモリに保存することを特徴とする請求項１に記載の移動通信端末機。
【請求項１４】
放送番組に関連した信号を受信する受信部と、
前記受信された信号から番組の属性を示す情報を抽出する抽出部と、
前記抽出された情報の属性に合わせて作成されたリストを保存するメモリと、
前記保存されたリストから入力又は選択された因子に該当するリストに対応した番組を検索する検索部と、
を備えることを特徴とする移動通信端末機。
【請求項１５】
前記受信された信号は、
放送サービスに必要な番組と、前記番組を区分する情報と、を含んでいることを特徴とする請求項１４に記載の移動通信端末機。
【請求項１６】
前記因子は、
放送される番組の種類（タイプ）、視聴可能な年代、視聴推奨の年代の少なくとも１つを区分するための因子であることを特徴とする請求項１４に記載の移動通信端末機。
【請求項１７】
前記検索された番組から視聴しようとする番組が選択されると、該選択された番組を受信することを特徴とする請求項１４に記載の移動通信端末機。
【請求項１８】
端末機の全般的な動作を制御する制御部は、前記作成されたリストに該当しない因子が入力されると、該入力された因子に対応する番組がないことを通知するメッセージを出力することを特徴とする請求項１４に記載の移動通信端末機。
【請求項１９】
前記検索された番組から所定番組が選択されると、該選択された番組を表示する表示部をさらに備えることを特徴とする請求項１４に記載の移動通信端末機。
【請求項２０】
前記信号は、
放送のための信号に前記情報が挿入されて送信機から出力されることを特徴とする請求項１４に記載の移動通信端末機。
【請求項２１】
前記情報は、
前記受信された信号の種類又は属性を示すことを特徴とする請求項１４に記載の移動通信端末機。
【請求項２２】
前記情報は、
前記受信された信号の視聴可能な年代、視聴推奨の年代、該当放送番組名の少なくとも１つを含んでいることを特徴とする請求項１４に記載の移動通信端末機。
【請求項２３】
前記情報は、
前記受信された信号の所定フィールドに挿入されることを特徴とする請求項１４に記載の移動通信端末機。
【請求項２４】
前記情報は、
前記信号のＦＩＧタイプのＲｆａフィールドに挿入されていることを特徴とする請求項１４に記載の移動通信端末機。
【請求項２５】
前記抽出部は、
前記抽出した情報をメモリに保存することを特徴とする請求項１４に記載の移動通信端末機。
【請求項２６】
放送信号を受信する過程と、
前記受信された放送信号から番組の属性を示す情報を抽出する過程と、
前記抽出された情報の番組の属性に合わせて作成されたリストを保存し、該保存したリストから所定因子が選択又は入力されると、該因子に該当するリストを表示する過程と、
を含むことを特徴とする移動通信端末機の番組検索方法。
【請求項２７】
前記表示されたリストから所定リストが選択されると、該選択されたリストに対応する番組を表示する過程をさらに含むことを特徴とする請求項２６に記載の移動通信端末機の番組検索方法。
【請求項２８】
前記因子が入力又は選択されると、該入力又は選択された因子に該当するリストを検索する過程をさらに含むことを特徴とする請求項２６に記載の移動通信端末機の番組検索方法。
【請求項２９】
前記選択又は入力された因子は、
放送される番組の種類（タイプ）、視聴可能な年代、視聴推奨の年代の少なくとも１つを区分するための因子であることを特徴とする請求項２６に記載の移動通信端末機の番組検索方法。
【請求項３０】
前記保存されたリストに該当しない因子が入力又は選択されると、該入力又は選択された因子に該当するリストがないことを通知するメッセージを出力することを特徴とする請求項２６に記載の移動通信端末機の番組検索方法。
【請求項３１】
前記放送信号は、
放送のための信号に前記情報が挿入されて送信機から出力されることを特徴とする請求項２６に記載の移動通信端末機の番組検索方法。
【請求項３２】
前記情報は、
前記受信された放送信号の種類又は特性を示すことを特徴とする請求項２６に記載の移動通信端末機の番組検索方法。
【請求項３３】
前記情報は、
前記受信された放送信号の視聴可能な年代及び視聴推奨の年代、又は、該当放送信号の番組名を含んでいることを特徴とする請求項２６に記載の移動通信端末機の番組検索方法。
【請求項３４】
前記情報は、
前記信号の所定フィールドに挿入されていることを特徴とする請求項２６に記載の移動通信端末機の番組検索方法。
【請求項３５】
前記情報は、
前記放送信号のＦＩＧタイプのＲｆａフィールドに挿入されていることを特徴とする請求項２６に記載の移動通信端末機の番組検索方法。
【発明の詳細な説明】
【技術分野】
【０００１】
本発明は、移動通信端末機に関し、特に、ユーザが視聴を希望する番組の属性を入力するだけで、該当番組を検索又は視聴し得る放送用端末機の番組検索装置及び番組検索方法に関する。
【背景技術】
【０００２】
一般に、放送用端末機（以下、端末機とも称する）は、移動中にマルチメディア情報やデータを個人の端末機で受信できるように提案されたシステムであり、ＤＭＢ（Digital Multimedia Broadcasting）、ＤＶＢ−Ｈ（Digital Video Broadcasting Handheld）、Ｍｅｄｉａ−Ｆｌｏ（Media-Forward link only）などのように各国別に多様な名称がある。
【０００３】
ＤＭＢは、地上波ＤＭＢ（Terrestrial DMB；ＴＤＭＢ）と衛星ＤＭＢ（Satellite DMB；ＳＤＭＢ）に区分されて開発された。
【０００４】
地上波ＤＭＢは、高品質の音声及び映像サービスをいつどこでも提供できる移動マルチメディア放送であり、「オーディオ放送」から「ビデオ・オーディオ放送」へと、ラジオ放送の概念を拡張させる。優れた移動受信特性に基づいて音楽、文字メッセージ、動画像などの多様なコンテンツを小型テレビ及びＰＤＡなどの移動通信端末機を利用して転送する。さらに、高画質及び高音質を目指すデジタル地上波テレビ放送と補完的な関係を構築して、ＰＤＡ又は移動通信端末機と連携したサービスにより、移動通信端末機の画期的な需要を創出できる。
【０００５】
また、衛星ＤＭＢは、衛星を介して固定受信機及び移動受信機にオーディオ、付加データ、又は動画像を含むマルチメディア放送サービスを提供する。衛星ＤＭＢは、多様な種類のオーディオ放送サービスを低コストで提供可能であり、衛星を利用するため、広い地域をカバーすることができ、既存放送の受信可能範囲を画期的に拡大する次世代サービスである。また、通信と放送の融合時代、すなわち、「デジタルコンバージェンス」の代表的なサービスとして注目されている。
【０００６】
このように、ＤＭＢ機能のような放送機能（broadcasting function）を備えた端末機を利用してユーザは所望チャネルの放送を視聴できる。
【０００７】
図５は、一般の移動通信端末機の放送受信装置を示すブロック図である。
【０００８】
図５に示すように、放送受信装置は、多様なコンテンツを受信する受信部１０と、該受信されたコンテンツ又は放送を制御する制御部１２と、該制御されたコンテンツ又は放送を表示する表示部１４と、他のコンテンツ又は放送を受信又は視聴するためのチャネル切替命令が入力される入力部１６と、該入力されたチャネル切替命令に従って受信チャネルを切り替えるチャネル切替部１８と、を備える。
【０００９】
以下、図５を参照して放送受信装置の動作を説明する。
【００１０】
例えば、地上波ＤＭＢ又は衛星ＤＭＢの送信機（例: ギャップフィラー（gap filler））からの放送番組が受信部を介して受信されると、制御部１２は、その受信された番組を制御して表示部１４に表示する。所定データの表示中に、他の放送番組を視聴するためのチャネル切替命令が入力部１６に入力されると、チャネル切替部１８は、該入力されたチャネル切替命令を解読して制御部１２に転送する。制御部１２は、切り替えられたチャネルに基づき放送番組を受信して表示部１４に表示する。
【００１１】
図６は、一般の移動通信端末機の放送受信方法を示すフローチャートである。
【００１２】
図６に示すように、放送機能を備える端末機を利用して放送視聴のための放送機能が選択されると、制御部１２は、端末機を放送モードに切り替え、サービス可能なチャネルを検索する（Ｓ２００、Ｓ２０２）。検索されたチャネルから視聴しようとするチャネルが選択される（Ｓ２０４）と、制御部１２は、選択されたチャネルのデータ（例: 放送番組など）を受信して、該受信したデータを表示する（Ｓ２０６、Ｓ２０８）。現在受信しているデータの表示中に、他の放送番組を視聴するために他のチャネルが選択されると、制御部１２は、以前のチャネルのデータ受信を中断して、新しく選択されたチャネルのデータを受信及び表示する（Ｓ２１０、Ｓ２０６、Ｓ２０８）。他のチャネルが選択されなかった場合、制御部１２は、データ受信を継続し、放送が終了すると、表示を完了する（Ｓ２１０、Ｓ２１２）。
【００１３】
しかしながら、前述したような端末機を利用して、ユーザーが所望分野の番組を視聴しようとするとき、チャネルの選択により一々放送を見て確認するか、又は電子番組ガイド（Electronic Program Guide；ＥＰＧ）を利用して所望分野の番組を検索しなければならないという不便があった。
【発明の開示】
【発明が解決しようとする課題】
【００１４】
本発明の目的は、ユーザーが所望する番組の属性を入力又は選択するだけで、その属性に対応する番組を検索して視聴できる放送用端末機の番組検索装置及び番組検索方法を提供することにある。
【課題を解決するための手段】
【００１５】
このような目的を達成する本発明の移動通信端末機は、放送番組に関連した信号を受信する受信部と、前記受信された信号から番組の属性を示す情報を抽出する抽出部と、前記抽出された情報の属性に合わせて作成されたリストを保存するメモリと、前記保存されたリストのうち入力又は選択された因子に該当する、リストに対応した番組を検索する検索部と、を備えることを特徴とする。
【００１６】
このような目的を達成する本発明の移動通信端末機の番組検索方法は、放送信号を受信する過程と、前記受信された放送信号から番組の属性を示す情報を抽出する過程と、前記抽出された情報の属性に合わせて作成されたリストを保存し、該保存したリストから特定の因子が選択又は入力されると、該因子に該当するリストを表示する過程と、を含むことを特徴とする。
【００１７】
好ましくは、前記信号は、ＤＭＢ放送のための信号に特定情報が挿入（記録）されてＤＭＢ送信機から出力される。
【００１８】
好ましくは、前記情報は、前記信号のＦＩＧタイプのＲｆａフィールドに挿入される。
【発明の効果】
【００１９】
本発明は、端末機において番組を区分する属性（例: 区分因子、年代など）を入力するだけで、その属性を有する番組を検索及び視聴することができる。従って、ユーザーは、視聴を希望する番組の属性を有する番組を容易に検索できるという効果がある。
【００２０】
また、本発明は、それぞれのユーザの好みの番組を優先的に検索又は視聴できるため、迅速かつ簡便に番組を視聴できる。さらに、他人の違法視聴又は年齢にふさわしくない番組に対してはロック機能を追加することにより、違法視聴等を防止する効果もある。
【発明を実施するための最良の形態】
【００２１】
以下、図面を参照して本発明の好ましい実施形態を説明する。
【００２２】
本発明の基本概念は、ユーザが視聴を希望する番組の属性を入力するだけで、視聴しようとする番組を検索できる放送用端末機の番組検索方法を提供するというものである。
【００２３】
図１は、本発明に係る放送用端末機の番組検索装置を示すブロック図である。
【００２４】
図１に示すように、本発明に係る放送用端末機は、コンテンツ、放送番組などのデータを受信する受信部３０と、該受信されたデータを制御する制御部３２と、該制御されたデータを表示する表示部３４と、前記受信されたデータからサービス情報（例えば、放送番組の属性、番組名など）を抽出する抽出部３６と、該抽出されたサービス情報を保存するメモリ３８と、他の放送番組又はユーザの好みの番組などを見るためのチャネル切替命令などが入力される入力部４０と、該入力された命令がチャネル切替命令であると、チャネルを切り替えるチャネル切替部４２と、前記メモリに保存されたサービス情報から特定情報を検索する検索部４４と、を備えて構成される。
【００２５】
以下、図１を参照して、本発明に係る放送用端末機の番組検索装置の動作を説明する。
【００２６】
例えば、放送送信装置又は衛星から多様な放送番組に関連したデータなどが、受信部３０を介して受信されると、抽出部３６は、制御部３２の制御により、受信されたデータから該当放送番組の属性を区分（識別）する因子（識別子）や、受信する番組名などのサービス情報を抽出してメモリ３８に保存する。また、制御部３２は、受信された放送番組を表示部３４に表示する。該表示中に、他の番組を視聴するために、入力部４０からチャネル切替などの命令が入力されると、チャネル切替部４２により、チャネルが切り替えられる。この切り替えられたチャネルに対応する番組に関連したデータは、受信部３０を介して受信される。また、チャネルが頻繁に切り替えられ、その度に、切り替えられたチャネルに対応する放送番組が受信されると、抽出部３６は、その受信された番組に関連するサービス情報を抽出してメモリ３８に保存する。
【００２７】
このように、多様な番組を区分するためのサービス情報が保存されている状態で、ユーザが、ユーザの好みの又はユーザ属性の番組を中心に視聴しようとする場合、該当サービス情報を入力したり端末機に設定することにより、メモリ３８に保存されたサービス情報を検索して該当番組のサービスのみを受けることができる。前述したように、ユーザがユーザの好みの又はユーザ属性の番組を視聴するために、検索部４４は、メモリ３８に保存されたサービス情報を検索して、その結果を制御部３２に転送する。制御部３２は、受信した検索結果（例: 好みの番組のチャネルリスト、又は年齢に合った番組のチャネルリストなど）を表示部３４に表示する。
【００２８】
図２は、本発明に係る放送信号のフィールド構造を示す図である。
【００２９】
一般に、放送信号（例: ＤＭＢ信号）は、ＦＩＣ（Fast Information Channel）と、ＭＳＣ（Main Service Channel）と、を含んで構成される。
【００３０】
ＭＳＣには、該当チャネルの映像、音声などのような実際のデータストリームが保存される。ＦＩＣには、ＭＳＣに関するサービス情報が保存される。また、ＦＩＣは、ＦＩＢ（Fast Information Block）から構成され、それぞれのＦＩＢは、ＦＩＧ（Fast Information Group）から構成される。
【００３１】
制御部３２は、１つのチャネルのＦＩＣを構成するＦＩＢのそれぞれのＦＩＧを順次パーシング（parsing）する。抽出部３６は、制御部３２の制御により、ＦＩＧのうちＦＩＧタイプ（FIG Type 0/8）のＲｆａ（Reserved for advance）フィールド４０３から番組の属性を区分する因子を抽出し、及びＳＣＩｄｓ（Service Component ID in Service）フィールド４０２からＲｆａフィールド４０３に保存された番組の属性を有する番組名を抽出して、これら抽出した情報をメモリ３８に保存する。また、本発明に係るＤＭＢ信号のフィールド構造では、Ｒｆａフィールド４０３を使用するため、ＦＩＧタイプ（FIG Type 0/8）のＥｘｔ.ｆｌａｇフィールド４０１には「１」が設定される。
【００３２】
このように、Ｒｆａフィールド４０３には、番組の属性を区分する因子が保存される。これは、例えば、番組の属性を、世代別及び性別に区分する場合、Ｒｆａフィールド４０３の下位２ビットには、世代別の区分因子である００（１０代）、０１（２０代〜３０代）、１０（４０代〜５０代）又は１１（６０代以上）が保存され、Ｒｆａフィールド４０３の１ビット（シングルビット）には、性別の区分因子である０（男性）又は１（女性）が保存される。なお、番組の属性を区分けする因子は、その番組の属性を、番組の種類（タイプ）、視聴可能な年代、視聴推奨の年代などで区分するようにしてもよい
【００３３】
図３は、本発明の一実施形態による放送信号から番組の特性と番組名とを抽出して、これら抽出した情報を保存する過程を示すフローチャートである。
【００３４】
以下、図２及び３を参照して本発明の一実施形態による番組の属性と番組名とを抽出して、これら抽出した情報を保存する過程を詳細に説明する。
【００３５】
放送を視聴するために放送視聴モードが選択されると、制御部３２は、端末機を放送視聴モードに切り替え、チャネルを検索する（Ｓ５００、Ｓ５０２）。チャネルを検索して地上波又は衛星放送送信装置から放送信号が受信されると（Ｓ５０４）、制御部３２は、検索したチャネルのＦＩＣを構成するＦＩＢのそれぞれのＦＩＧを順次パーシングする（Ｓ５０６）。また、抽出部３６は、制御部３２の制御により、チャネルの放送信号のＲｆａフィールドに挿入された番組の属性を区分する因子（例: 番組の種類（タイプ）として、娯楽、歴史、ドキュメンタリー、ドラマなど）を抽出し、及びＳＣＩｄｓフィールド４０２に挿入された番組名などを抽出して、これら抽出した情報をメモリに保存する（Ｓ５０８）。このように、１つのチャネルに対応するサービス情報（例: 放送される番組の属性、番組名など）の抽出及び保存が完了すると、抽出部３６は、他のチャネルに対しても、同様の過程（Ｓ５０４、Ｓ５０６、Ｓ５０８）を繰り返して行い、対応するサービス情報をメモリ３８に保存する。検索された全てのチャネルのサービス情報の抽出及び保存が完了すると、抽出された番組を区分する因子や該当番組名などのサービス情報のリストが作成されるようになる（Ｓ５１２）。
【００３６】
このような本発明に係るサービス情報の保存及び抽出をするために、地上波及び衛星放送送信装置は、放送信号の該当フィールドに適切な情報を挿入できるモジュール又は装置を備え、該当情報が挿入された放送信号を転送できる機能を有するべきである。
【００３７】
図４は、本発明に係る移動通信端末機の番組検索方法を示すフローチャートである。
【００３８】
以下、図４を参照して本発明に係る移動通信端末機の番組検索方法を詳細に説明する。
【００３９】
まず、放送送信装置は、放送信号の該当フィールドに適切な情報を挿入して転送すると仮定する。
【００４０】
放送機能が選択されると、端末機は、放送モードに切り替え、現在サービス可能な放送チャネルの番組を検索するための画面を表示する（Ｓ６００）。番組を検索するための多様な分類が表示された状態で、ユーザが検索のための特定の分類（例: 属性、年代検索など）を選択すると、番組の属性を入力又は選択するための画面が表示される（Ｓ６０２、Ｓ６０４、Ｓ６０６）。この表示された画面で、ユーザは、少なくとも１つの番組の属性を入力又は選択することができる。ユーザが表示された画面から番組の属性を入力又は選択すると、検索部４４は、これをセンス（sense）する。検索部４４は、保存領域（例: メモリなど）に保存されたリストに、入力又は選択された区分因子に対応する番組が存在すると、番組の属性に該当する区分因子と、マッピングされた番組名とをリストから検出して、表示部３４に表示する（Ｓ６１０、Ｓ６１６）。もし、過程（Ｓ６１０）で入力又は選択された区分因子に対応する番組が存在しないと、該当属性を有する番組が存在しないことを通知するメッセージを表示する（Ｓ６１０、Ｓ６１２）。このメッセージを表示した後、再検索を通知し、再検索のための命令が入力又は選択されると、再び過程（Ｓ６０６）に戻る（Ｓ６１４、Ｓ６０６）。過程（Ｓ６１６）において、番組のリストが表示された状態で、最終的に視聴しようとする番組が選択されると、端末機は、その選択された番組を表示し、ユーザは表示された番組を視聴する（Ｓ６１８）。
【図面の簡単な説明】
【００４１】
【図１】本発明に係る移動通信端末機の番組検索装置を示すブロック図である。
【図２】本発明に係る放送信号のフィールド構造を示す図である。
【図３】本発明の一実施形態による放送信号から番組の特性と番組名とを抽出して保存する過程を示すフローチャートである。
【図４】本発明に係る移動通信端末機の番組検索方法を示すフローチャートである。
【図５】一般の移動通信端末機の放送受信装置を示すブロック図である。
【図６】一般の移動通信端末機の放送受信方法を示すフローチャートである。
【符号の説明】
【００４２】
３０：受信部
３２：制御部
３４：表示部
３６：抽出部
３８：メモリ
４０：入力部
４２：チャネル切替部
４４：検索部
【図１】
2006148935.tif 000003
【図２】
2006148935.tif 000004
【図３】
2006148935.tif 000005
【図４】
2006148935.tif 000006
【図５】
2006148935.tif 000007
【図６】
2006148935.tif 000008